(57)【特許請求の範囲】
【請求項１】
オートフォーカス式のデジタルカメラであって、
カラー画像を取り込む単板式カラーＣＣＤと、
前記単板式カラーＣＣＤが取り込んだ画像データを記憶するフレームメモリと、
前記フレームメモリに記憶された画像データに対し、個々の画素に対応するＲＧＢのデータを生成するカラーデータ補間部と、
前記単板式カラーＣＣＤから前記フレームメモリに取り込まれた画像データを２値化する画像２値化部と、
前記カラーデータ補間部または前記画像２値化部の出力結果を記憶する画像記憶部と、
オートフォーカスにより接写が自動的に行われたかどうかを判断する撮影距離指示部と、
前記単板式カラーＣＣＤに取り込まれている画像から色情報を抽出し、色情報が少なくかつ接写モードであれば、文字認識用の撮影であると判断するＯＣＲ撮影判断部とを有し、
前記ＯＣＲ撮影判断部が判断したのが文字認識用画像の撮影の場合は、前記画像２値化部により、画像データを２値化するとともに、前記ＯＣＲ撮影判断部が判断したのが文字認識用画像でない場合は、前記カラーデータ補間部により、画像データに対し、個々の画素に対応するＲＧＢのデータを生成する事を特徴とするデジタルカメラ。
【発明の詳細な説明】
【０００１】
【発明の属する利用分野】
本発明は、静止画像を電子的にデジタルデータとして記録するデジタルカメラに関するものである。
【０００２】
【従来の技術】
パーソナルコンピュータなどの文字認識ソフトでは、２値化された画像データを読み込み、この画像内の文字を認識している。そのためデジタルカメラで名刺などを撮影し、そのカラー画像をパソコンに読み込み、２値化した上で文字認識処理を行っていた。
【０００３】
【発明が解決しようとする課題】
しかしながら、従来のデジタルカメラで撮影した画像では、単板式のカラーＣＣＤ（Ｃｈａｒｇｅ  Ｃｏｕｐｌｅｄ  Ｄｅｖｉｃｅ）を使用しているため、各画素について（原色フィルタータイプの場合）ＲＧＢ（Ｒｅｄ・Ｇｒｅｅｎ・Ｂｌｕｅ）のいずれかの情報しか持っていない。
【０００４】
したがって、ある画素に注目すると、たとえばその画素がＲの情報しか持っていない場合、その画素に対してＧ，Ｂのデータを生成しなければならない。
【０００５】
従来のデジタルカメラでは、画素混合と呼ばれる手法を用いてＧ，Ｂの情報を補間する。より具体的には、隣接するＧ，Ｂの情報を持つ画素からローパスフィルタ演算などによって注目している画素に対するＧ，Ｂの情報を算出する。
【０００６】
このように、画素混合が行われるとローパスフィルタなどの演算が施されることとなり、文字の輪郭のように高周波成分を多く含む画像は歪んでしまう。たとえば、名刺などを撮影し、画素混合を行った場合、文字の輪郭はぼやけてしまい、文字に含まれる白い部分は黒くつぶれてしまう。このように、歪んだ画像に対して２値化を行い、文字認識処理を実行しても高い認識率は期待できない。
【０００７】
そこで、本発明は、文字認識に必要な高周波成分の劣化を大幅に低減させ、文字の認識率を向上させることのできるデジタルカメラを提供することを目的とする。
【０００８】
【課題を解決するための手段】
この課題を解決するために、本発明のデジタルカメラは、オートフォーカス式のデジタルカメラであって、カラー画像を取り込む単板式カラーＣＣＤと、前記単板式カラーＣＣＤが取り込んだ画像データを記憶するフレームメモリと、前記フレームメモリに記憶された画像データに対し、個々の画素に対応するＲＧＢのデータを生成するカラーデータ補間部と、前記単板式カラーＣＣＤから前記フレームメモリに取り込まれた画像データを２値化する画像２値化部と、前記カラーデータ補間部または前記画像２値化部の出力結果を記憶する画像記憶部と、オートフォーカスにより接写が自動的に行われたかどうかを判断する撮影距離指示部と、前記単板式カラーＣＣＤに取り込まれている画像から色情報を抽出し、色情報が少なくかつ接写モードであれば、文字認識用の撮影であると判断するＯＣＲ撮影判断部とを有し、前記ＯＣＲ撮影判断部が判断したのが文字認識用画像の撮影の場合は、前記画像２値化部により、画像データを２値化するとともに、前記ＯＣＲ撮影判断部が判断したのが文字認識用画像でない場合は、前記カラーデータ補間部により、画像データに対し、個々の画素に対応するＲＧＢのデータを生成する事を特徴とするものである。
【０００９】
これにより、文字認識用画素の撮影であるか否かの判断ができるので、文字認識用画素の撮影時に画素混合処理を行わずに歪みの少ない２値画素を取り出すのことができ、文字認識率を大幅に向上することができる。
【００１０】
また、本発明のデジタルカメラは、前記画像２値化部に対し、２値化処理を行う際のしきい値を指示する２値化しきい値指示部と、前記２値化しきい値指示部の指示した内容による画像の変化を表示する画像データを記憶する表示用メモリと、前記表示用メモリの内容を表示する表示部とを有するものである。
【００１１】
これにより、ユーザが画像を確認しながら２値化しきい値を選択して撮影できるので、文字認識に必要な高周波成分を保存でき、文字認識率を向上することができる。
【００１２】
さらに、本発明のデジタルカメラは、前記単板式カラーＣＣＤに対して、前記画像記憶部の内容に基づいてホワイトバランスを算出し、ＲＧＢの各ゲインを指示するオートホワイトバランス設定部を有するものである。
【００１３】
これにより、光源の色温度に左右されず、安定した輝度成分もしくは２値化された画像の取り出しを行えるので、文字認識に必要な高周波成分が保存され、文字の認識率を向上することができる。
【００１４】
また、本発明のデジタルカメラは、前記フレームメモリの内容を参照して、輪郭強調処理を行う輪郭強調部を有するものである。
【００１５】
これにより、光学系による高周波成分の劣化を改善するため、文字認識に必要な高周波成分が保存され、文字の認識率を向上することができる。
【００１６】
さらに、本発明のデジタルカメラは、接写か通常撮影かを指示する撮影距離指示部と、前記単板式カラーＣＣＤに取り込まれている画像から色情報を抽出し、色情報が少なくかつ接写モードの場合に文字認識用の撮影であると判断するＯＣＲ（Ｏｐｔｉｃａｌ  Ｃｈａｒａｃｔｅｒ  Ｒｅａｄｅｒ）撮影判断部を有するものである。
【００１７】
これにより、接写撮影状況下で被写体の色情報が少ない場合に文字認識用画像の撮影と判定されるのでユーザによるＯＣＲ用の撮影における指示が不要となり、操作の負担を軽減することができる。
【００１８】
本発明のデジタルカメラは、カラー画像を取り込む単板式カラーＣＣＤと、前記単板式カラーＣＣＤが取り込んだ画像データを記憶するフレームメモリと、前記フレームメモリに記憶された画像データに対し、個々の画素に対応するＲＧＢのデータを生成するカラーデータ補間部と、接写か通常撮影かを指示する撮影距離指示部と、前記単板式カラーＣＣＤに取り込まれている画像から色情報を抽出し、色情報が少なくかつ接写モードであれば、文字認識用の撮影であると判断するＯＣＲ撮影判断部と、前記撮影モード指示部に記憶された指示が文字認識用画像の撮影の場合に、前記単板式カラーＣＣＤから前記フレームメモリに取り込まれた画像データを２値化する画像２値化部と、前記カラーデータ補間部または前記画像２値化部の出力結果を記憶する画像記憶部とを有するものである。
【００１９】
これにより、接写撮影状況下で被写体の色情報が少ない場合に文字認識用画像の撮影と判定するされるのでユーザによるＯＣＲ用の撮影における指示が不要となり、操作の負担を軽減することができる。
【００２０】
【発明の実施の形態】
本発明の請求項１に記載の発明は、カラー画像を取り込む単板式カラーＣＣＤと、前記単板式カラーＣＣＤが取り込んだ画像データを記憶するフレームメモリと、前記フレームメモリに記憶された画像データに対し、個々の画素に対応するＲＧＢのデータを生成するカラーデータ補間部と、撮影した画像に対して文字認識を行うか否かの指示を記憶する撮影モード指示部と、前記撮影モード指示部に記憶された指示が文字認識用画像の撮影の場合に、前記単板式カラーＣＣＤから前記フレームメモリに取り込まれた画像データを２値化する画像２値化部と、前記カラーデータ補間部または前記画像２値化部の出力結果を記憶する画像記憶部とを備えたデジタルカメラであり、撮影モード指示部によって文字認識用画素の撮影であるか否かの判断を行うので文字認識用画素の撮影時に画素混合処理を行わずに歪みの少ない２値画素を取り出すことができ文字認識率を大幅に向上できるという作用を有する。
【００２１】
本発明の請求項２に記載の発明は、請求項１記載の発明において、前記画像２値化部に対し、２値化処理を行う際のしきい値を指示する２値化しきい値指示部と、前記２値化しきい値指示部の指示した内容による画像の変化を表示する画像データを記憶する表示用メモリと、前記表示用メモリの内容を表示する表示部とを設けたデジタルカメラであり、２値化しきい値指示部ならびに表示部により、ユーザが画像を確認しながら２値化しきい値を選択して撮影できるので、文字認識に必要な高周波成分を保存でき、文字認識率を向上できるという作用を有する。
【００２２】
本発明の請求項３に記載の発明は、請求項１または２記載の発明において、前記単板式カラーＣＣＤに対して、前記画像記憶部の内容に基づいてホワイトバランスを算出し、ＲＧＢの各ゲインを指示するオートホワイトバランス設定部を設けたデジタルカメラであり、ホワイトバランス算出部によって光源の色温度に左右されず、安定した輝度成分あるいは２値化された画像の取り出しを行うことができるので、文字認識率を向上でき、色の付いている名刺などであっても正しく文字認識を行うことができるという作用を有する。
【００２３】
本発明の請求項４に記載の発明は、請求項１〜３のいずれか１項に記載の発明において、前記フレームメモリの内容を参照して、輪郭強調処理を行う輪郭強調部を設けたデジタルカメラであり、この輪郭強調部によって光学系による高周波成分の劣化が改善されるので、文字認識に必要な高周波成分が保存され、文字認識の認識率を向上できるという作用を有する。
【００２４】
本発明の請求項５に記載の発明は、請求項１〜４のいずれか１項に記載の発明において、接写か通常撮影かを指示する撮影距離指示部と、前記単板式カラーＣＣＤに取り込まれている画像から色情報を抽出し、色情報が少なくかつ接写モードの場合に文字認識用の撮影であると判断するＯＣＲ撮影判断部を設けたデジタルカメラであり、ＯＣＲ撮影判断部によって接写撮影において被写体の色情報が少ない場合でも文字認識用の画像を認識することができるのでユーザによるＯＣＲ用撮影の指示が不要となり、操作負担を軽減できるという作用を有する。
【００２５】
本発明の請求項６に記載の発明は、カラー画像を取り込む単板式カラーＣＣＤと、前記単板式カラーＣＣＤが取り込んだ画像データを記憶するフレームメモリと、前記フレームメモリに記憶された画像データに対し、個々の画素に対応するＲＧＢのデータを生成するカラーデータ補間部と、接写か通常撮影かを指示する撮影距離指示部と、前記単板式カラーＣＣＤに取り込まれている画像から色情報を抽出し、色情報が少なくかつ接写モードであれば、文字認識用の撮影であると判断するＯＣＲ撮影判断部と、前記撮影モード指示部に記憶された指示が文字認識用画像の撮影の場合に、前記単板式カラーＣＣＤから前記フレームメモリに取り込まれた画像データを２値化する画像２値化部と、前記カラーデータ補間部または前記画像２値化部の出力結果を記憶する画像記憶部とを備えたデジタルカメラであり、ＯＣＲ撮影判断部によって接写撮影において被写体の色情報が少ない場合でも文字認識用の画像を認識することができるのでユーザによるＯＣＲ用撮影の指示が不要となり、操作負担を軽減できるという作用を有する。
【００２６】
以下、本発明の実施の形態について、図１から図１０を用いて説明する。なお、これらの図面において同一の部材には同一の符号を付しており、また、重複した説明は省略される。
【００２７】
（実施の形態１）
図１は本発明の実施の形態１によるデジタルカメラの機能ブロック図、図２は本発明の実施の形態１によるデジタルカメラの撮影動作を示すフローチャートである。
【００２８】
本実施の形態１において、デジタルカメラは、単板式カラーＣＣＤ１０１、フレームメモリ１０２、カラーデータ補間部１０３、撮影モード指示部１０４、画像２値化部１０５、画像保存部１０６、シャッタ１０７および、カメラ制御部１０８によって構成されてる。
【００２９】
また、単板式カラーＣＣＤ１０１は、カラー画像の取り込みを行い、単板式カラーＣＣＤ１０１は、カメラ制御部１０８と接続されている。フレームメモリ１０２は、単板式カラーＣＣＤ１０１が取り込んだ画像データを記憶するものであり、同様にカメラ制御部１０８と接続されている。
【００３０】
カラーデータ補間部１０３は、フレームメモリ１０２に記憶された画像データに対し、個々の画素に対するＲＧＢのデータを生成する。たとえば、原色フィルタータイプの単板式のカラーＣＣＤでは個々の画素に対してＲＧＢのうち、いずれか１つの情報しか持ちえないために、個々の画素に存在しないＲ，Ｇ，Ｂのデータを隣接する他の画素から補間して生成する。また、補色フィルタータイプでも同様である。このカラーデータ補間部１０３もカメラ制御部１０８と接続されている。
【００３１】
また、撮影モード指示部１０４は、ユーザが撮影した画像に対して文字認識を行うか否かをあらかじめ指示し、その指示を記憶する。この撮影モード指示部１０４もカメラ制御部１０８と接続されている。
【００３２】
さらに、文字認識処理は２値化された画像を期待するので、画像２値化部１０５は、ユーザが、撮影モード指示部１０４によって文字認識用画像の撮影を指示した場合に単板式カラーＣＣＤ１０１からフレームメモリ１０２に取り込まれた画像データを２値化する。
【００３３】
画像保存部１０６は、カラーデータ補間部１０３、もしくは画像２値化部１０５の出力結果を記憶し、シャッタ１０７は、ユーザが所望のタイミングで撮影を指示する。また、これら画像２値化部１０５、画像保存部１０６ならびに、シャッタ１０７は、カメラ制御部１０８と接続されている。
【００３４】
カメラ制御部１０８は、ユーザーがシャッタ１０７を押した時に、単板式カラーＣＣＤ１０１に対して画像の取り込みを指示し、その取り込み結果をフレームメモリ１０２に格納し、撮影モード指示部１０４によって、通常の撮影モードが選択された場合にはフレームメモリ１０２に格納された画像データをカラーデータ補間部１０３に渡し、カラーデータの補間を実行し、結果を画像保存部１０６に格納し、また、撮影モード指示部１０４によって文字認識用画像の撮影が選択された場合にはフレームメモリ１０２に格納された画像データを画像２値化部１０５に渡し、その結果を画像保存部１０６に格納する。
【００３５】
次に、本実施の形態１におけるデジタルカメラ撮影動作を図１および図２のフローチャートを用いて説明する。
【００３６】
まず、ユーザがシャッタ１０７を操作すると、カメラ制御部１０８が単板式カラーＣＣＤ１０１に対し、画像取り込みの指示を行い、単板式カラーＣＣＤ１０１が画像データをフレームメモリ１０２に書き込む（ステップＳ１０１）。
【００３７】
その後、カメラ制御部１０８が、撮影モード指示部１０４に対して現在の撮影モードを問い合わせる（ステップＳ１０２）。
【００３８】
ステップＳ１０２の処理において、ユーザの指示しているモードが通常の撮影モードの場合、カメラ制御部１０８がカラーデータ補間部１０３にカラーデータの補間を指示し、カラーデータ補間部１０３がフレームメモリ１０２の内容を参照してカラーデータの補間を行い、結果を画像保存部１０６に書き込む（ステップＳ１０３）。以上によって、通常の撮影モードにおける撮影動作は終了する。
【００３９】
また、ステップＳ１０２の処理において、文字認識用画像撮影を指示している場合、カメラ制御部１０８が画像２値化部１０５に対して、画像の２値化処理を指示し、画像２値化部１０５はフレームメモリ１０２の内容を参照し、各画素のデータをそのまま輝度データと解釈した上で、あるしきい値以上の輝度を持つ場合、白、さもなければ、黒と解釈することによって画像を２値化し、画像保存部１０６に書き込み（ステップＳ１０４）、文字認識用画像の撮影モードでの撮影動作が終了となる。
【００４０】
それにより、本実施の形態１では、撮影モード指示部１０４により、文字認識用画素の撮影であるか否かの判断ができるので、文字認識用画素の撮影時に画素混合処理を行わずに歪みの少ない２値画素を取り出すので文字認識率を大幅に向上することができる。
【００４１】
なお、本実施の形態１によれば、カラーデータを補間した後、画像保存部１０６に格納しているが、デジタルカメラで通常行われているようにＪＰＥＧ（Ｊｏｉｎｔ  Ｐｈｏｔｏｇｒａｐｈｉｃ  Ｅｘｐｅｒｔｓ  Ｇｒｏｕｐ）などの画像圧縮処理を行った後、画像保存部１０６に格納しても本発明の主旨となんら変わりない。
【００４２】
また、フレームメモリ１０２の内容について、各画素をそのまま「輝度成分」とみなしているが、一般に、ＣＣＤではＲＧＢの感度に差があるため、この感度の逆数を乗算した上で「輝度成分」と解釈しても、本発明の主旨となんらかわりない。
【００４３】
（実施の形態２）
図３は、本発明の実施の形態２によるデジタルカメラの機能ブロック図、図４は本発明の実施の形態２によるデジタルカメラの撮影動作を示すフローチャートである。
【００４４】
本実施の形態２においては、前記実施の形態１に記載のデジタルカメラに２値化しきいち指示部１０９、画像記憶部１１０、表示用画像メモリ１１１および、表示部１１２が設けられている。
【００４５】
また、２値化しきい値指示部１０９は、画像２値化部１０５に対し、２値化処理を行う際のしきい値を指示する。画像記憶部１１０は、カラーデータ補間部１０３、もしくは画像２値化部１０５の出力結果を記憶する。
【００４６】
さらに、表示用画像メモリ１１１は、ユーザがしきい値を指示することによって２値化した画像がどのように変化するかを確認するための画像を記憶する。表示部１１２は、表示画像用メモリ１１１の内容を表示する。
【００４７】
これら２値化しきい値指示部１０９、画像記憶部１１０ならびに表示画像用メモリ１１１は、カメラ制御部１０８と接続されており、該カメラ制御部１０８によって制御が司られている。また、表示部１１２は、表示用画像メモリ１１１と接続されている。
【００４８】
次に、本実施の形態２におけるデジタルカメラの撮影動作を図３および図４のフローチャートを用いて説明する。ここでは、名刺を文字認識用の画像として撮影を行うものとして説明する。
【００４９】
まず、カメラ制御部１０８が単板式カラーＣＣＤ１０１に画像の取り込みを指示する。単板式カラーＣＣＤ１０１は取り込んだ画像をフレームメモリ１０２に格納する（ステップＳ２０１）。
【００５０】
そして、カメラ制御部１０８が撮影モード指示部１０４に、現在のユーザの指定が文字認識用画像の撮影か否かを問い合わせる（ステップＳ２０２）。
【００５１】
ステップＳ２０２の処理において、文字認識用画像撮影を指示している場合は撮影モードが文字認識用画像の撮影モードであるため、画像２値化部１０５に対し、画像の２値化を指示する。カメラ制御部１０８が２値化しきい値指示部１０９を参照し、ユーザが指定しているしきい値をもとに２値化を行い、結果を画像記憶部１１０に格納する（ステップＳ２０３）。
【００５２】
また、ステップＳ２０２の処理において、ユーザが指示しているモードが通常の撮影モードを指示している場合、カメラ制御部１０８がカラーデータ補間部１０３にカラーデータの補間を指示し、カラーデータ補間部１０３がフレームメモリ１０２の内容を参照してカラーデータの補間を行い（ステップＳ２０４）、結果を画像記憶部１１０に書き込みを行う。
【００５３】
以降、表示部１１２の内容をユーザが確認し、所望の画像であればシャッタ１０７を押して、画像保存部１０６に上記画像が取り込められる。以上で、通常の撮影動作は終了する。
【００５４】
次に、カメラ制御部１０８は、シャッタ１０７が押されているか否かの判断を行い（ステップＳ２０５）、シャッタ１０７が押されている場合、カメラ制御部１０８が、画像記憶部１１０の内容を表示用画像メモリ１１１へ転送する。そして表示部１１２が表示用画像メモリ１１１の内容を実際に表示を行い（ステップＳ２０６）、ステップＳ２０１の処理に戻る。
【００５５】
ここで、ユーザが表示部１１２の内容を参照し、２値化された画像が所望の画像ではなかった、たとえば、画面全体が黒くなりすぎている場合などについて説明する。
【００５６】
この場合、ユーザが２値化しきい値指示部１０９を操作して、しきい値の値を小さくすることになる。すると、前述したステップＳ２０１〜ステップＳ２０３およびステップＳ２０５，Ｓ２０６の処理を経て表示部１１２に以前より全体が白くなった画像を表示する。
【００５７】
ユーザはこのようにユーザが２値化しきい値指示部１０９を操作して、撮影を行おうとしている被写体がもっともはっきりとしたコントラストの画像を表示部１１２で確認する。
【００５８】
そして、ユーザが表示部１１２で画像を確認した後、シャッタ１０７を押すと、ステップＳ２０５の処理において、シャッタ１０７が押されているのが確認されてカメラ制御部１０８が現在の画像記憶部１１０の内容を画像保存部１０６に書き込み（ステップＳ２０７）文字認識用の撮影動作が終了となる。
【００５９】
それにより、本実施の形態２によれば、２値化しきい値指示部１０９ならびに表示部１１２により、ユーザが画像を確認しながら２値化しきい値を選択して撮影できるので、文字認識に必要な高周波成分を保存でき、文字認識率を向上することができる。
【００６０】
（実施の形態３）
図５は、本発明の実施の形態３によるデジタルカメラの機能ブロック図、図６は本発明の実施の形態３によるデジタルカメラの撮影動作を示すフローチャートである。
【００６１】
本実施の形態３では、前記実施の形態１に記載のデジタルカメラにホワイトバランス算出部１１３が設けられており、該ホワイトバランス算出部１１３は、カメラ制御部１０８と接続されている。また、ホワイトバランス算出部１１３はカメラ制御部１０８によって制御が司られている。
【００６２】
ホワイトバランス算出部１１３は、単板式カラーＣＣＤ１０１に対して各ＲＧＢに対するゲインを設定するためにフレームメモリ１０２の内容から各ＲＧＢ成分の値を全画面に関して積分し、ＲＧＢの比を求める。
【００６３】
次に、本実施の形態３におけるデジタルカメラの撮影動作を図５および図６のフローチャートを用いて説明する。
【００６４】
まず、ユーザがシャッタ１０７を操作すると、カメラ制御部１０８が単板式カラーＣＣＤ１０１に対し、画像取り込み指示を行い、単板式カラーＣＣＤ１０１が画像データをフレームメモリ１０２に書き込む（ステップＳ３０１）。
【００６５】
次に、カメラ制御部１０８は、ホワイトバランス算出部１１３にホワイトバランスの算出を指示することにより、ホワイトバランス算出部１１３はフレームメモリ１０２を参照し、各ＲＧＢの値を積分した上で画像全体としてＲＧＢの各積分値が等しくなるようなＲＧＢの各ゲインを算出する（ステップＳ３０２）。カメラ制御部１０８はこの値を受け取って単板式カラーＣＣＤ１０１に設定する。
【００６６】
そして、カメラ制御部１０８は、撮影モード指示部１０４に対してユーザの指示しているモードが通常の撮影であるか、文字認識用画像撮影であるかの判断を行う（ステップＳ３０３）。
【００６７】
そして、通常の撮影の場合、カメラ制御部１０８はカラーデータ補間部１０３にカラーデータの補間を指示し、カラーデータ補間部１０３がフレームメモリ１０２の内容を参照してカラーデータの補間を行い（ステップＳ３０４）、結果を画像保存部１０６に書き込み、通常の撮影モードの撮影動作が終了する。
【００６８】
また、ステップＳ３０３の処理において、ユーザが文字認識用画像を撮影するモードを指示していた場、カメラ制御部１０８が画像２値化部１０５に対して、画像の２値化処理を指示し、画像２値化部１０５はフレームメモリ１０２の内容を参照して各画素のデータをそのまま輝度データと解釈した上で、あるしきい値以上の輝度を持つ場合、白、さもなければ、黒と解釈することによって画像を２値化し（ステップＳ３０５）、画像保存部１０６に書き込むことによって、文字認識用画像の撮影モードの撮影動作が終了する。
【００６９】
それにより、本実施の形態３によれば、ホワイトバランス算出部１１３によって光源の色温度に左右されず、安定した輝度成分あるいは２値化された画像の取り出しを行うことができるので、文字認識率を向上でき、色の付いている名刺などであっても正しく文字認識を行うことができる。
【００７０】
また、本実施の形態３では、カラーデータを補間した後、画像保存部１０６に格納しているが、デジタルカメラで通常行われているようにＪＰＥＧなどの画像圧縮処理を行った後、画像保存部１０６に格納しても本発明の主旨となんら変わりない。
【００７１】
（実施の形態４）
図７は、本発明の実施の形態４によるデジタルカメラの機能ブロック図、図８は本発明の実施の形態４によるデジタルカメラの撮影動作を示すフローチャートである。
【００７２】
本実施の形態４では、前記実施の形態１におけるデジタルカメラに輪郭強調部１１４が設けられており、該輪郭強調部１１４は、カメラ制御部１０８と接続され、該カメラ制御部１０８によって制御が司られている。また、この輪郭強調部１１４は、フレームメモリ１０２の内容を参照してラプラッシャン演算を行い、その結果を再びフレームメモリ１０２に格納する。
【００７３】
次に、本実施の形態４におけるデジタルカメラの撮影動作を図７および図８のフローチャートを用いて説明する。
【００７４】
まず、ユーザがシャッタ１０７を操作すると、カメラ制御部１０８が単板式カラーＣＣＤ１０１に対し、画像取り込みを指示する。単板式カラーＣＣＤ１０１が画像データをフレームメモリ１０２に書き込む（ステップＳ４０１）。
【００７５】
そして、カメラ制御部１０８は撮影モード指示部１０４に対して現在の撮影モードを問い合わせ、ユーザが指示しているモードが通常の撮影モードか、文字認識用画像撮影であるかを判断する（ステップＳ４０２）
通常撮影モードをユーザが指示していた場合、カメラ制御部１０８がカラーデータ補間部１０３にカラーデータの補間を指示する。すると、カラーデータ補間部１０３がフレームメモリ１０２の内容を参照し、カラーデータの補間を行い（ステップＳ４０３）、結果を画像保存部１０６に書き込み、通常の撮影モードでの撮影動作が終了となる。
【００７６】
なお、ここでは、カラーデータを補間した後、画像保存部１０６に格納しているが、デジタルカメラで通常行われているようにＪＰＥＧなどの画像圧縮処理を行った後、画像保存部１０６に格納しても本発明の主旨となんら変わりない。
【００７７】
次に、ステップＳ４０２の処理において、ユーザが文字認識用画像を撮影するモードを指示していた場合、カメラ制御部１０８が、輪郭強調部１１４に輪郭強調処理を指示する。輪郭強調部１１４はフレームメモリ１０２を参照し、ラプラッシャン演算を行い、その結果をフレームメモリ１０２に格納する（ステップＳ４０４）。
【００７８】
その後、カメラ制御部１０８は、画像２値化部１０５に対して、画像の２値化処理を指示し、画像２値化部１０５がフレームメモリ１０２の内容を参照し、各画素のデータをそのまま輝度データと解釈した上で、あるしきい値以上の輝度を持つ場合、白、さもなければ、黒と解釈することによって画像を２値化し（ステップＳ４０５）、画像保存部１０６に書き込むことによって、文字認識用画像の撮影モードでの撮影動作が終了する。
【００７９】
このように、本実施の形態４によれば、輪郭強調部１１４によって、光学系による高周波成分の劣化が改善されるので、文字認識に必要な高周波成分が保存され、文字認識の認識率を向上することができる。
【００８０】
なお、本実施の形態４では、輪郭強調を行うためにラプラッシャン演算を用いているがその他の関数、演算を用いても本発明の主旨と何ら変わりない。
【００８１】
また、輪郭強調部１１４においてフレームメモリ１０２を参照しているが、画像保存部１０６を代わりに利用しても本発明の主旨と変わりない。
【００８２】
（実施の形態５）
図９は本発明の実施の形態５によるデジタルカメラの機能ブロック図、図１０は本発明の実施の形態５によるデジタルカメラの撮影動作を示すフローチャートである。
【００８３】
本実施の形態５においては、デジタルカメラが、単板式カラーＣＣＤ１０１、フレームメモリ１０２、カラーデータ補間部１０３、画像２値化部１０５、画像保存部１０６、シャッタ１０７、カメラ制御部１０８、撮影モード指示部１１５および、ＯＣＲ撮影判断部１１６により構成されている。
【００８４】
撮影モード指示部１１５は、ユーザが接写か通常撮影かを指示する。ＯＣＲ撮影判断部１１６は、フレームメモリ１０２に格納されている画像から色情報を抽出し、色情報が少なくかつ接写モードであれば、文字認識用の撮影であると判断する。
【００８５】
また、カメラ制御部１０８は、これら単板式カラーＣＣＤ１０１、フレームメモリ１０２、カラーデータ補間部１０３、画像２値化部１０５、画像保存部１０６、シャッタ１０７、撮影モード指示部１１５ならびに、ＯＣＲ撮影判断部１１６の制御を司る。
【００８６】
次に、本実施の形態５におけるデジタルカメラの撮影動作を図９および図１０のフローチャートを用いて説明する。
【００８７】
まず、ユーザがシャッタ１０７の操作を行い、カメラ制御部１０８が単板式カラーＣＣＤ１０１に対し、画像取り込みを指示する。すると、単板式カラーＣＣＤ１０１が画像データをフレームメモリ１０２に書き込む（ステップＳ５０１）。
【００８８】
そして、カメラ制御部１０８が、接写か通常撮影かを撮影モード指示部１１５に問い合わせる（ステップＳ５０２）。ここでユーザが接写を指定していた場合には、カメラ制御部１０８がＯＣＲ撮影判断部１１６に対してユーザが現在接写を選択していることを通知する。
【００８９】
ＯＣＲ撮影判断部１１６はフレームメモリ１０２に格納されている画像からＲＧＢの各成分について積分を行い、各積分値が近ければ、色情報が少ないと解釈し（ステップＳ５０３）、文字認識用の撮影であると判断し、カメラ制御部１０８が画像２値化部１０５に対して、画像の２値化処理を指示する（ステップＳ５０４）。
【００９０】
次に、画像２値化部１０５はフレームメモリ１０２の内容を参照し、各画素のデータをそのまま輝度データと解釈した上で、あるしきい値以上の輝度を持つ場合、白、さもなければ、黒と解釈することによって画像を２値化し、画像保存部１０６に書き込み、文字認識用画像の撮影動作は終了する。
【００９１】
また、ステップＳ５０２の処理において、ユーザが通常を撮影するモードを指示していた場合、カメラ制御部１０８がカラーデータ補間部１０３にカラーデータの補間を指示する（ステップＳ５０５）。カラーデータ補間部１０３はフレームメモリ１０２の内容を参照し、カラーデータの補間を行い、結果を画像保存部１０６に書き込み、通常の撮影モードでの撮影動作が終了する。
【００９２】
それにより、本実施の形態５では、ＯＣＲ撮影判断部１１６によって接写撮影において被写体の色情報が少ない場合でも、文字認識用の画像を認識することができるのでユーザによるＯＣＲ用撮影の指示が不要となり、操作負担を軽減することができる。
【００９３】
なお、本実施の形態５においては、カラーデータを補間した後、画像保存部１０６に格納しているが、デジタルカメラで通常行われているようにＪＰＥＧなどの画像圧縮処理を行った後、画像保存部１０６に格納しても本発明の主旨となんら変わりない。
【００９４】
また、本実施の形態では、ユーザが接写か通常撮影かを指示するものとしているが、オートフォーカスにより接写が自動的に行われても、本発明の主旨を逸脱するものではない。
【００９５】
【発明の効果】
以上のように、本発明によれば、撮影モード指示部によって文字認識用画素の撮影であるか否かの判断を行うので、文字認識用画素の撮影時に画素混合処理を行わずに歪みの少ない２値画素を取り出すことができ文字認識率を大幅に向上できるという有効な効果が得られる。
【００９６】
また、本発明によれば、２値化しきい値指示部ならびに表示部によってユーザが画像を確認しながら２値化しきい値を選択して撮影することができるので、文字認識に必要な高周波成分を保存でき、文字認識率を向上するという有効な効果が得られる。
【００９７】
さらに、本発明によれば、ホワイトバランス算出部によって光源の色温度に左右されず、安定した輝度成分あるいは２値化された画像の取り出しを行うことができるので、文字認識利率をより大幅に向上できるという有効な効果が得られる。
【００９８】
本発明によれば、輪郭強調部によって光学系による高周波成分の劣化が改善されるので、文字認識に必要な高周波成分が保存され、文字認識の認識率を向上できるという有効な効果が得られる。
【００９９】
そして、本発明によれば、ＯＣＲ撮影判断部によって接写撮影において被写体の色情報が少ない場合でも文字認識用の画像を認識することができるので、ユーザによるＯＣＲ用撮影の指示が不要となり、操作負担を軽減できるという有効な効果が得られる。
【図面の簡単な説明】
【図１】本発明の実施の形態１によるデジタルカメラの機能ブロック図
【図２】本発明の実施の形態１によるデジタルカメラの撮影動作を示すフローチャート
【図３】本発明の実施の形態２によるデジタルカメラの機能ブロック図
【図４】本発明の実施の形態２によるデジタルカメラの撮影動作を示すフローチャート
【図５】本発明の実施の形態３によるデジタルカメラの機能ブロック図
【図６】本発明の実施の形態３によるデジタルカメラの撮影動作を示すフローチャート
【図７】本発明の実施の形態４によるデジタルカメラの機能ブロック図
【図８】本発明の実施の形態４よるデジタルカメラの撮影動作を示すフローチャート
【図９】本発明の実施の形態５によるデジタルカメラの機能ブロック図
【図１０】本発明の実施の形態５よるデジタルカメラの撮影動作を示すフローチャート
【符号の説明】
１０１  単板式カラーＣＣＤ
１０２  フレームメモリ
１０３  カラーデータ補間部
１０４  撮影モード指示部
１０５  画像２値化部
１０６  画像保存部
１０７  シャッタ
１０８  カメラ制御部
１０９  ２値化しきい値指示部
１１０  画像記憶部
１１１  表示用画像メモリ
１１２  表示部
１１３  ホワイトバランス算出部
１１４  輪郭強調部
１１５  撮影モード指示部
１１６  ＯＣＲ撮影判断部
【図１】
0003997586.tif 000002
【図２】
0003997586.tif 000003
【図３】
0003997586.tif 000004
【図４】
0003997586.tif 000005
【図５】
0003997586.tif 000006
【図６】
0003997586.tif 000007
【図７】
0003997586.tif 000008
【図８】
0003997586.tif 000009
【図９】
0003997586.tif 000010
【図１０】
0003997586.tif 000011